(57)【要約】【課題】設置作業中に作業者が移動すべき距離を短縮するとともに作業内容を簡略化し、限られた空間で作業者が安全に作業を行うことが可能なタンク内に長尺物を抜き差しする昇降装置を提供する。【解決手段】タンク１内に洗浄装置２を抜き差しすべく天面１ａ上に設置され、三脚状の架台１１と、架台１１に設けられて上下方向に駆動可能なフック１３とを有する昇降装置１０であって、架台１１に設けられている一対の第１支脚１４は、挿入口側と通路側とに揺動可能なようにその端部が支持部材１７にそれぞれ取り付けられ、架台１１の第２支脚１５は支持部材１７が設けられている側とは挿入口１ｂを挟んで反対側に設けられた支柱２２の固定部２２ａに固定される。昇降装置１０の設置は、まず一対の第１支脚１４の端部を支持部材１７に取り付け、その後支柱２２に設けられている第２ウインチ２３で架台１１の頂部１６を挿入口側に引き起こすことにより行われる。【選択図】図１
2009298502.tif 000002
【特許請求の範囲】
【請求項１】
タンクの天面に設けられている挿入口から前記タンク内に長尺物を挿入する挿入作業、及び前記挿入口から前記タンク内に挿入されている前記長尺物を抜き出す取出作業を行うために前記天面に設置されて前記長尺物を上下方向に移動させる昇降装置であって、
前記タンクの前記天面には、作業者が前記天面に移動するための通路が前記タンクとは別の建物から掛け渡されており、
同じ長さの一対の第１支脚と、第２支脚と、前記一対の第１支脚のそれぞれの一端が所定の間隔を離して取り付けられるとともに前記一対の第１支脚の並び方向と直交する方向に前記第２支脚が揺動可能なように前記第２支脚の一端が取り付けられる頂部とを有し、前記天面のうち前記挿入口よりも前記通路寄りに互いに離して設定された一対の第１支脚配置位置にそれぞれ設けられた支持部材に他端を中心として各第１支脚が前記挿入口側と前記通路側とに揺動可能なように各第１支脚の他端がそれぞれ取り付けられ、前記一対の第１支脚配置位置が設定された側とは前記挿入口を挟んで反対の側において各第１支脚配置位置からの距離が互いに等しくなるように設定された第２支脚配置位置に前記第２支脚の他端が固定され、かつ前記頂部が前記挿入口の上方に位置するとともに前記頂部と前記挿入口との間の距離が前記長尺物の長さより長くなるように前記天面上に設置される架台と、前記架台の前記頂部から下方に吊り下げられて駆動手段にて上下方向に駆動可能な装着部と、前記架台の前記頂部にワイヤが装着されるウインチ手段が設けられるとともに付け根部分に前記第２支脚の他端が嵌め込まれて固定される受け部材を有し、かつ前記第２支脚配置位置に設置される支柱と、を備えていることを特徴とする長尺物の昇降装置。
【請求項２】
前記タンクは、製造された飲料物が貯蔵されるコニカルタンクであり、
前記長尺物は、前記タンク内を洗浄するために前記タンク内に挿入する洗浄装置であることを特徴とする請求項１に記載の長尺物の昇降装置。
【請求項３】
請求項１又は２に記載の昇降装置を前記タンクの前記天面に設置する設置方法であって、
まず前記昇降装置の各第１支脚の他端をそれぞれ前記第１支脚配置位置の前記支持部材に揺動可能に支持させ、次にウインチ手段を巻き上げることにより前記架台を前記挿入口側に起こし、その後前記第２支脚の他端を前記受け部材に嵌め込んで前記第２支脚配置位置に固定する設置工程と、前記長尺物の一端に前記装着部を装着する装着工程と、を備えていることを特徴とする昇降装置の設置方法。
【請求項４】
前記設置工程は、前記昇降装置の各第１支脚の他端が前記一対の第１支脚配置位置に置かれ、かつ前記頂部が前記通路上に位置するように前記架台を倒した状態で前記通路上に置く第１設置工程と、前記通路上に倒した状態で置かれた前記架台の各第１支脚の他端を、前記頂部が各第１支脚の他端を中心として前記挿入口側と前記通路側とに揺動可能なように各支持部材にそれぞれ取り付ける第２設置工程と、前記第２支脚配置位置に前記支柱を立てるとともに、前記第２設置工程で各第１支脚の他端をそれぞれ前記支持部材に取り付けた前記架台の前記頂部に前記ウインチ手段のワイヤを掛け、前記ウインチ手段を巻き上げることにより前記一対の第１支脚の他端を中心として前記架台を前記挿入口側に起こす第３設置工程と、前記第３設置工程で起こした前記架台の前記第２支脚の他端を前記受け部材に嵌め込み、その後前記ウインチ手段のワイヤを張ることにより前記架台を前記天面上に固定する第４設置工程と、を備えていることを特徴とする請求項３に記載の昇降装置の設置方法。
【発明の詳細な説明】
【技術分野】
【０００１】
本発明は、タンクの天面からそのタンク内に長尺物を挿入したり抜き出したりするための昇降装置及びその設置方法に関する。
【背景技術】
【０００２】
地中や井戸などから揚水パイプなどの長尺管をウインチを利用して引き上げたり降下させたりする装置が知られている（例えば、特許文献１参照）。また、地面に三脚を立て、その三脚で地面に接地棒を打ち込むための打設機を垂直に保持する保持装置が知られている（例えば、特許文献２参照）。他に地面に長尺物を押し込む装置としては、シンウォールチューブサンプラーを地盤に押し込むシンウォールチューブサンプラーの押込装置が知られている（特許文献３参照）。その他、岸壁に固定される大容量三脚デリツク装置が知られている（例えば、特許文献４参照）。
【０００３】
【特許文献１】特開２０００−１９９３９５号公報
【特許文献２】特開平５−２６６９６１号公報
【特許文献３】特開２０００−２１２９４５号公報
【特許文献４】特開平６−１５６９８１号公報
【発明の開示】
【発明が解決しようとする課題】
【０００４】
ところで、ビールなどの飲料物の製造工場には、製造した飲料物やその飲料物の原料などを一時貯蔵するコニカルタンクが設けられている。このようなコニカルタンクに対しては、定期的に内部の洗浄などのメンテナンスが行われる。この際、洗浄装置をタンクの天面からタンク内に挿入したり抜き出したりする作業を作業者が手作業で行っているが、例えばタンクの高さが２０ｍ程度の場合、洗浄装置の長さが４ｍ程度となるため、作業者にかかる負担が大きい。そこで、作業者への負担を軽減すべく特許文献１の装置のような三脚状の架台を有する昇降装置を用いてこの作業を行うことにしたが、タンクの天面上という限られた空間でこの昇降装置を設置する設置作業を行う必要があるため、設置作業中に作業者が移動する距離を短縮したり設置作業の作業内容を簡略化する必要がある。特許文献１〜４の装置は地面に設置するものであるため、このような限られた空間には適していない。また、これらの特許文献１〜４には、限られた空間に装置を設置する方法について開示されていない。
【０００５】
そこで、本発明は、設置作業中に作業者が移動すべき距離を短縮するとともに作業内容を簡略化し、限られた空間で作業者が安全に作業を行うことが可能な長尺物の昇降装置及びその設置方法を提供することを目的とする。
【課題を解決するための手段】
【０００６】
本発明の長尺物の昇降装置は、タンク（１）の天面（１ａ）に設けられている挿入口（１ｂ）から前記タンク内に長尺物（２）を挿入する挿入作業、及び前記挿入口から前記タンク内に挿入されている前記長尺物を抜き出す取出作業を行うために前記天面に設置されて前記長尺物を上下方向に移動させる昇降装置（１０）であって、前記タンクの前記天面には、作業者が前記天面に移動するための通路（３）が前記タンクとは別の建物から掛け渡されており、同じ長さの一対の第１支脚（１４）と、第２支脚（１５）と、前記一対の第１支脚のそれぞれの一端が所定の間隔を離して取り付けられるとともに前記一対の第１支脚の並び方向と直交する方向に前記第２支脚が揺動可能なように前記第２支脚の一端が取り付けられる頂部（１６）とを有し、前記天面のうち前記挿入口よりも前記通路寄りに互いに離して設定された一対の第１支脚配置位置（Ｐ１）にそれぞれ設けられた支持部材（１７）に他端を中心として各第１支脚が前記挿入口側と前記通路側とに揺動可能なように各第１支脚の他端がそれぞれ取り付けられ、前記一対の第１支脚配置位置が設定された側とは前記挿入口を挟んで反対の側において各第１支脚配置位置からの距離が互いに等しくなるように設定された第２支脚配置位置（Ｐ２）に前記第２支脚の他端が固定され、かつ前記頂部が前記挿入口の上方に位置するとともに前記頂部と前記挿入口との間の距離（Ｌ２）が前記長尺物の長さ（Ｌ１）より長くなるように前記天面上に設置される架台（１１）と、前記架台の前記頂部から下方に吊り下げられて駆動手段（１２）にて上下方向に駆動可能な装着部（１３）と、前記架台の前記頂部にワイヤ（２３ａ）が装着されるウインチ手段（２３）が設けられるとともに付け根部分に前記第２支脚の他端が嵌め込まれて固定される受け部材（２２ａ）を有し、かつ前記第２支脚配置位置に設置される支柱（２２）と、を備えていることにより、上述した課題を解決する。
【０００７】
本発明の昇降装置によれば、架台を第１支脚の他端を中心として通路側と挿入口側に揺動できるので、作業者は第１支脚の他端をそれぞれ支持部材に取り付けた後、ウインチ手段で架台の頂部に装着したワイヤを巻き上げることにより架台を挿入口側に引き起こすことができる。そのため、長尺物を手で抜き差しする作業と比較して作業者が重いものを長時間持ったり長時間無理な姿勢で作業を行ったりする必要がない。したがって、作業内容を簡略化し、タンクの天面上という限られた空間で作業者が安全に昇降装置の設置作業を行うことができる。また、この昇降装置は、作業者がタンクの天面上において第１支脚配置位置、第２支脚配置位置、及び挿入口の３箇所に移動することでほぼ設置を行うことができる。そのため、設置作業中に作業者が移動すべき距離を短縮することができる。そして、第１支脚配置位置及び第２支脚配置位置にそれぞれ作業者を配置しておくことにより、設置作業中は作業者が移動すべき距離をさらに短縮することができる。さらに、本発明の昇降装置では、各支脚の他端がそれぞれ天面上に移動しないように固定できるので、長尺物を挿入したり抜き出したりする作業中に昇降装置がふらつくことを防止できる。そのため、作業者が安全に長尺物の抜き差し作業を行うことができる。
【０００８】
本発明の昇降装置の一形態において、前記タンクは、製造された飲料物が貯蔵されるコニカルタンク（１）であり、前記長尺物は、前記タンク内を洗浄するために前記タンク内に挿入する洗浄装置（２）であってもよい。このようなタンクは定期的に洗浄装置をタンクの天面から挿入して洗浄を行うので、本発明の設置方法が好適に適用できる。
【０００９】
本発明の設置方法は、上述した昇降装置を前記タンクの前記天面に設置する設置方法であって、まず前記昇降装置の各第１支脚の他端をそれぞれ前記第１支脚配置位置の前記支持部材に揺動可能に支持させ、次にウインチ手段を巻き上げることにより前記架台を前記挿入口側に起こし、その後前記第２支脚の他端を前記受け部材に嵌め込んで前記第２支脚配置位置に固定する設置工程（Ｓ１〜Ｓ４）と、前記長尺物の一端に前記装着部を装着する装着工程（Ｓ５）と、を備えていることにより、上述した課題を解決する。
【００１０】
本発明の設置方法によれば、作業者が第１支脚配置位置、第２支脚配置位置、及び挿入口の３箇所に移動することで昇降装置の設置をほぼ行うことができる。そのため、設置作業中に作業者が移動すべき距離を短縮できる。また、作業者が重いものを長時間持ったり、長時間無理な姿勢で作業を行ったりする必要がない。そのため、設置作業の作業内容を簡略化でき、限られた空間で作業者が安全に設置作業を行うことができる。
【００１１】
本発明の設置方法の一形態において、前記設置工程は、前記昇降装置の各第１支脚の他端が前記一対の第１支脚配置位置に置かれ、かつ前記頂部が前記通路上に位置するように前記架台を倒した状態で前記通路上に置く第１設置工程（Ｓ１）と、前記通路上に倒した状態で置かれた前記架台の各第１支脚の他端を、前記頂部が各第１支脚の他端を中心として前記挿入口側と前記通路側とに揺動可能なように各支持部材にそれぞれ取り付ける第２設置工程（Ｓ２）と、前記第２支脚配置位置に前記支柱を立てるとともに、前記第２設置工程で各第１支脚の他端をそれぞれ前記支持部材に取り付けた前記架台の前記頂部に前記ウインチ手段のワイヤを掛け、前記ウインチ手段を巻き上げることにより前記一対の第１支脚の他端を中心として前記架台を前記挿入口側に起こす第３設置工程（Ｓ３）と、前記第３設置工程で起こした前記架台の前記第２支脚の他端を前記受け部材に嵌め込み、その後前記ウインチ手段のワイヤを張ることにより前記架台を前記天面上に固定する第４設置工程（Ｓ４）と、を備えていてもよい。
【００１２】
このように架台を設置することにより、作業者が重いものを長時間持ったり長時間無理な姿勢で作業を行ったりすることなく架台を設置することができる。そのため、作業内容を簡略化し、タンクの天面上という限られた空間で作業者が安全に昇降装置の設置作業を行うことができる。
【００１３】
なお、以上の説明では本発明の理解を容易にするために添付図面の参照符号を括弧書きにて付記したが、それにより本発明が図示の形態に限定されるものではない。
【発明の効果】
【００１４】
以上に説明したように、本発明によれば、設置作業中に作業者が移動する距離を短縮でき、また各工程で作業者が行うべき作業を簡略化できるので、タンクの天面上という限られた空間で作業者が安全に作業を行うことができる。
【発明を実施するための最良の形態】
【００１５】
図１は、本発明の一形態に係る設置方法で昇降装置が設置されるタンクの概略を示した図である。図１に示したタンク１は、内部に製造した飲料物が貯蔵されるコニカルタンクであり、地面から天面１ａまでの高さＨは２０ｍ程度である。図１に示したようにタンク１の天面１ａには、挿入口１ｂが設けられている。図２は、天面１ａを上から見た図である。図２に示したように天面１ａはほぼ円状であり、挿入口１ｂはほぼその中心に設けられている。図１に示したように、この挿入口１ｂからは長尺物としての洗浄装置２が挿入される。洗浄装置２は、その下端に設けられた洗浄ヘッド２ａから水などの洗浄液を噴射してタンク１内を洗浄する。洗浄装置２の上端は挿入口１ｂより外側に配置され、不図示の洗浄液供給装置と接続される。図１に示したようにこの洗浄装置２の長さＬ１は、洗浄装置２がタンク１内に挿入された際に洗浄ヘッド２ａがタンク１内の洗浄に適した位置に配置されるように設定されている。この長さＬ１としては、例えば約４ｍが設定される。タンク１の天面１ａには、作業者がその天面１ａに移動可能なように別の建物から通路３が掛け渡されている。また、天面１ａの外周及び通路３の両側には作業者の転落を防止するための安全柵４が設けられている。
【００１６】
タンク１内への洗浄装置２の挿入及びタンク１内からの洗浄装置２の抜き出しは、天面１ａ上に設置される昇降装置１０を用いて行われる。図１〜図３を参照して昇降装置１０について説明する。図３は、昇降装置１０を拡大して示した図である。なお、図３においては安全柵４の図示を省略している。昇降装置１０は、架台１１と、架台１１に取り付けられる駆動手段としての第１ウインチ１２と、架台１１の頂部１６から下方に吊り下げられ第１ウインチ１２で上下方向に駆動される装着部としてのフック１３とを備えている。架台１１は、同じ長さの一対の第１支脚１４と、第２支脚１５と、一対の第１支脚１４及び第２支脚１５が取り付けられる頂部１６とを有している。この形態では、第２支脚１５も第１支脚１４と同じ長さに設定されている。そして、これらの支脚１４、１５の長さは、図１に示したように昇降装置１０を天面１ａ上に設置した場合に挿入口１ｂから頂部１６までの距離Ｌ２が洗浄装置２の長さＬ１より十分大きくなるように設定される。
【００１７】
図２に示したように頂部１６は、ほぼ正三角形の板部材であり、一対の第１支脚１４は一方の一端が頂部の一つの頂点に配置され、他方の一端が他の頂点に配置されるように頂部１６に固定されている。頂部の１６の残りの頂点には、第２支脚１５の一端が配置される。そのため、第２支脚１５の一端は、この一端から各第１支脚１４の一端までの距離が互いに等しくなるように頂部１６に取り付けられる。また、第２支脚１５は、頂部１６に取り付けられた一端を中心として一対の第１支脚１４の並び方向と直交する方向に揺動可能なように頂部１６に取り付けられる。例えば、第２支脚１５の一端に孔を形成するとともに貫通孔が形成された支持板を頂部１６の下面に設け、この支持板の貫通孔と第２支脚１５の孔とをそれぞれ貫通するようにボルトを通すことにより、第２支脚１５を頂部１６に揺動可能に取り付けることができる。
【００１８】
図２に示したように各第１支脚１４の他端は、天面１ａの外周のうち通路３が接続されている部分の両端、言い換えると通路３の一方の側面が天面１ａの外周と接している位置及び通路３の他方の側面が天面１ａの外周と接している位置に配置される。以降、これらの位置を第１支脚配置位置Ｐ１と称することがある。一方、第２支脚１５の他端は、天面１ａの外周のうち第１支脚配置位置Ｐ１とは挿入口１ｂを挟んで反対の側に各第１支脚配置位置Ｐ１からの距離が互いに等しくなるように設定された第２支脚配置位置Ｐ２に配置される。第１支脚配置位置Ｐ１には、それぞれ支持部材１７が設けられている。支持部材１７は、第１支脚１４が天面１ａの外周より内側及び天面１ａの外周より外側の両方に揺動可能なように第１支脚１４の一端を支持する。具体的には、例えば第１支脚配置位置Ｐ１に半円状の軸受部、及びその軸受部に嵌って回転する回転軸を支持部材１７として設け、第１支脚１４の他端をその回転軸と接続すればよい。このように各第１支脚１４の他端を支持部材１７にそれぞれ支持させることにより、一対の第１支脚１４をその他端を中心として天面１ａの外周より外側に倒したときに頂部１６を通路３上に移動させることができる。
【００１９】
頂部１６には、第１滑車１８と、第２滑車１９と、第１ウインチ１２のワイヤ１２ａの先端が固定される固定部２０と、頂部１６のほぼ中央に配置されて上下方向に貫通する貫通孔２１とが設けられている。図２に示したように第１滑車１８は、頂部１６の中央より第１支脚１４側寄りに設けられ、第２滑車１９は頂部１６の頂点のうち第２支脚１５の一端が取り付けられた頂点に設けられている。図３に示したように第１滑車１８には、第１ウインチ１２のワイヤ１２ａが巻き掛けられる。そのワイヤ１２ａの先端は、貫通孔２１を介して固定部２０に固定される。そして、ワイヤ１２ａのうち固定部２０から貫通孔２１までの間の部分にフック１３の動滑車１３ａが取り付けられる。この昇降装置１０によれば、第１ウインチ１２でワイヤ１２ａを巻き上げることによりフック１３を上方に駆動でき、ワイヤ１２ａを引き出すことによりフック１３を下方に駆動できる。また、動滑車１３ａを利用することにより、第１ウインチ１２を巻き上げる際に要する力が半分になるので、洗浄装置２を抜き差しする際に作業者が無理なく第１ウインチ１２を操作することができる。そのため、洗浄装置２の挿入作業や取出作業を安全に行うことができる。
【００２０】
また、昇降装置１０は、天面１ａのうち第２支脚１５の他端が配置される第２支脚配置位置Ｐ２に設置される支柱２２と、その支柱２２の上端に設けられるウインチ手段としての第２ウインチ２３とを備えている。支柱２２の付け根部分には、第２支脚１５の他端が嵌め込まれる受け部材としての固定部２２ａが設けられている。図３に示したように第２ウインチ２３のワイヤ２３ａは、第２滑車１９に巻き掛けられ、その先端は支柱２２に固定される。そのため、第２ウインチ２３でワイヤ２３ａを張ることにより、第２支脚１５を固定部２２ａに押し付けて、昇降装置２０を天面１ａに固定することができる。
【００２１】
図４は、この昇降装置１０をタンク１の天面１ａに設置する設置方法の手順を示したフローチャートである。図４に示したように昇降装置１０を設置するには、まず通路３上に昇降装置１０の架台１１を倒した状態で置く第１設置工程Ｓ１を行う。この際、図５に示したように架台１１は、各第１支脚１４の他端がそれぞれ第１支脚配置位置Ｐ１に置かれ、かつ頂部１６が一対の第１支脚配置位置Ｐ１を挟んで挿入口１ａがある側（以下、内側と称することがある。）とは反対の側（以下、外側と称することがある。）を向くように通路３上に置かれる。なお、図示を省略したがこの際に第１ウインチ１２をいずれかの第１支脚１４に取り付ける。また、第１ウインチ１２のワイヤ１２を第１滑車１８に巻き掛けるとともに、そのワイヤ１２ａの先端が貫通孔２１を介して固定部２０に固定される。そして、そのワイヤ１２ａにフック１３が取り付けられる。なお、図５においても安全柵４の図示を省略している。
【００２２】
次の第２設置工程Ｓ２では、第１設置工程Ｓ１において通路３上に倒した状態で置いた架台１１の各第１支脚１４の他端をそれぞれ支持部材１７に取り付ける。この作業を実施することにより、一対の第１支脚１４の他端を中心として架台１１を内側と外側とに揺動させることが可能な状態にすることができる。続く第３設置工程Ｓ３では、図６に示したように第２支脚配置位置Ｐ２に支柱２２を立てるとともに、第２ウインチ２３のワイヤ２３ａを架台１１の第２滑車１９に巻き掛けるとともにその先端を支柱２２に固定する。なお、図６においても安全柵４の図示を省略している。その後、第２ウインチ２３でワイヤ２３ａを巻き上げ、一対の第１支脚１４の他端を中心として架台１１を図６に矢印Ｕで示した方向、すなわち内側に起こす。なお、この際、第１支脚１４がほぼ垂直に立った後は、架台１１が自重で内側に倒れないように作業者が第１支脚配置位置Ｐ１で第１支脚１４を支持する。
【００２３】
第４設置工程Ｓ４では、第２ウインチ２３をさらに巻き上げて第３設置工程Ｓ３よりも架台１１をさらに起こし、第２支脚１５を挿入口１ｂより第２支脚配置位置Ｐ２側に移動させて図２に示したように架台１１の第２支脚１５の他端を固定部２２ａに嵌め込む。これにより、第２支脚１５の他端を第２支脚配置位置Ｐ２に配置することができる。上述したように第１支脚１４及び第２支脚１５はそれぞれ同じ長さである。また、第１支脚配置位置Ｐ１及び第２支脚配置位置Ｐ２はそれぞれ天面１ａの外周に設定されている。そのため、各第１支脚１４の他端を第１支脚配置位置Ｐ１にそれぞれ配置し、第２支脚１５の他端を第２支脚配置位置Ｐ２に配置することにより、昇降装置１０の頂部１６を天面１ａの中心に設けられている挿入口１ｂの上方に配置することができる。その後、ワイヤ２３ａが張るまで第２ウインチ２３を巻き上げる。これにより、第２支脚１５の他端を固定部２２ａに固定することができるので、天面１ａ上に架台１１を固定することができる。続く装着工程Ｓ５では、フック１３を洗浄装置２の上端に取り付ける。なお、フック１３を直接洗浄装置２の上端に取り付けることができない場合は、例えば洗浄装置２の上端にアイボルトやワイヤなどの適宜の治具を取り付け、それらにフック１３を掛ければよい。
【００２４】
以上で昇降装置１０の設置は完了する。その後、図１に示したようにタンク１内に挿入されている洗浄装置２を抜き出す取出作業を行う場合は、第１ウインチ１２を巻き上げて洗浄装置２をタンク１から抜き出す。一方、タンク１内に洗浄装置２を挿入する挿入作業を行う場合は、まず天面１ａ上に洗浄装置２を横に倒した状態で置いておき、その上端にフック１３を取り付ける。次に第１ウインチ１２を巻き上げて洗浄装置２を挿入口１ｂの上方に吊す。その後、第１ウインチ１２のワイヤ１２ａを徐々に出していくことにより、洗浄装置２をタンク１内に挿入することができる。なお、天面１ａから昇降装置１０を取り外す場合は、上述した設置手順を逆に行えばよい。
【００２５】
以上に説明したように、本発明の昇降装置１０によれば、通路３上に架台１１を倒した状態で置いた後から第４設置工程Ｓ４までの間、第３設置工程Ｓ３で第２ウインチ２３のワイヤ２３ａを第２滑車１９に巻き掛ける作業を除いて作業者は第１支脚配置位置Ｐ１及び第２支脚配置位置Ｐ２のみで作業を行うことができる。そのため、予めこれらの支柱配置位置Ｐ１、Ｐ２に作業者を配置しておくことにより、作業者が殆ど移動することなく設置作業を進めることができる。また、設置作業中に移動するにしてもこれら支柱配置位置Ｐ１、Ｐ２の周囲、挿入口１ｂの周囲、及び通路３上に移動するのみであり、天面１ａにおいてそれ以外の場所に移動する必要がない。そのため、設置作業中に作業者が移動する距離を短縮できる。
【００２６】
また、本発明の昇降装置１０では、最初に昇降装置１０を通路３上に倒した状態で置いた後は各支脚１４、１５の端部の取り付けやウインチ１２、２３のワイヤ１２ａ、２３ａの取り付け、及びウインチ１２、２３の操作のみでほぼ設置作業を進めることができる。そのため、洗浄装置２を手作業で抜き差しする場合と比較して重いものを長時間持ったり長時間無理な姿勢で作業を行ったりする必要がない。従って、作業内容を簡略化し、タンク１の天面１ａ上という限られた空間で作業者が安全に昇降装置１０の設置作業を行うことができる。さらに、本発明の昇降装置１０は、各支脚１４、１５がそれぞれ支脚配置位置Ｐ１、Ｐ２に固定されるので、洗浄装置２を挿入したり抜き出したりする作業中に昇降装置１０がふらつくことを防止できる。そのため、作業者が安全に洗浄装置２の抜き差し作業を行うことができる。
【００２７】
本発明は上述した形態に限定されることなく種々の形態にて実施してよい。例えば、本発明が適用されるタンクは飲料物が貯蔵されるコニカルタンクに限定されず、天面から長尺物が挿入される種々のタンクに適用してよい。タンクの天面からタンク内に挿入される長尺物は洗浄装置に限定されず、例えばタンク内を検査するための検査装置やタンク内に貯蔵されている物質をサンプリングするサンプリング装置などでもよい。
【００２８】
タンクの天面上に設定される各支脚配置位置は、上述した形態の位置に限定されない。各第１支脚配置位置は、架台を天面の外周より外側に倒したときに頂部が通路上に位置するように設定されていればよい。また第２支脚配置位置は、天面のうち各第１支脚配置位置が設定されている側と挿入口を挟んで反対の側に設定されていればよい。この際、これら各支脚配置位置に各支脚の他端を配置した場合に頂部が挿入口の上方に位置するように第２支脚は第１支脚とは異なる長さにしてもよい。
【図面の簡単な説明】
【００２９】
【図１】本発明の一形態に係る設置方法で昇降装置が設置されるタンクの概略を示す図。
【図２】図１のタンクの天面を上から見た図。
【図３】昇降装置を拡大して示す図。
【図４】昇降装置の設置手順を示すフローチャート。
【図５】通路上に倒して置かれている状態の昇降装置を示す図。
【図６】架台を起こしている途中の昇降装置を示す図。
【符号の説明】
【００３０】
１  タンク
１ａ  天面
１ｂ  挿入口
２  洗浄装置（長尺物）
３  通路
１０  昇降装置
１１  架台
１２  第１ウインチ（駆動手段）
１３  フック（装着部）
１４  第１支脚
１５  第２支脚
１６  頂部
１７  支持部材
２２  支柱
２２ａ  固定部（受け部材）
２３  第２ウインチ（ウインチ手段）
２３ａ  第２ウインチのワイヤ
Ｐ１  第１支脚配置位置
Ｐ２  第２支脚配置位置
Ｓ１  第１設置工程
Ｓ２  第２設置工程
Ｓ３  第３設置工程
Ｓ４  第４設置工程
Ｓ５  装着工程
Ｌ１  洗浄装置の長さ
Ｌ２  頂部と挿入口との間の距離
【図１】
2009298502.tif 000003
【図２】
2009298502.tif 000004
【図３】
2009298502.tif 000005
【図４】
2009298502.tif 000006
【図５】
2009298502.tif 000007
【図６】
2009298502.tif 000008